(57)【要約】【課題】  内視鏡挿入部からアダプタを取り外しても、挿入部側電極の健全性を維持することができる内視鏡装置を提供すること。【解決手段】  被検体に挿入される内視鏡挿入部２と、この内視鏡挿入部２に設けられ、アダプタ側電極を有するアダプタ１２が着脱可能に取り付けられる取付面１３と、前記内視鏡挿入部２に設けられ、前記アダプタ１２が前記取付面１３取り付けられたときに前記アダプタ側電極と電気的に接続される挿入部側電極３２と、を備え、前記挿入部側電極３２が、前記取付面１３に対して、前記内視鏡挿入部２の内方に位置していることを特徴とする。【選択図】        図２
2006326068.tif 000002
【特許請求の範囲】
【請求項１】
被検体に挿入される内視鏡挿入部と、
この内視鏡挿入部に設けられ、アダプタ側電極を有するアダプタが着脱可能に取り付けられる取付面と、
前記内視鏡挿入部に設けられ、前記アダプタが前記取付面に取り付けられたときに前記アダプタ側電極と電気的に接続される挿入部側電極と、を備え、
前記挿入部側電極が、前記取付面に対して、前記内視鏡挿入部の内方に位置していることを特徴とする内視鏡装置。
【請求項２】
前記取付面に凹部が形成され、この凹部に前記挿入部側電極が設けられていることを特徴とする請求項１に記載の内視鏡装置。
【請求項３】
前記凹部に、少なくとも二つの前記挿入部側電極が設けられていることを特徴とする請求項２に記載の内視鏡装置。
【請求項４】
前記凹部の側壁部の一部を切り欠いた凹部用切り欠き部を備えることを特徴とする請求項２または請求項３に記載の内視鏡装置。
【請求項５】
前記凹部内の前記挿入部側電極の近傍に、凹部用テーパー部が設けられていることを特徴とする請求項２から請求項４のいずれか一項に記載の内視鏡装置。
【請求項６】
前記凹部内の前記挿入部側電極の近傍に、凹部用溝が設けられていることを特徴とする請求項２から請求項５のいずれか一項に記載の内視鏡装置。
【請求項７】
被検体に挿入される内視鏡挿入部と、
この内視鏡挿入部に設けられ、アダプタ側電極を有するアダプタが着脱可能に取り付けられる取付面と、
前記内視鏡挿入部に設けられ、前記アダプタが前記取付面に取り付けられたときに前記アダプタ側電極と電気的に接続される挿入部側電極と、
前記取付面のうち前記挿入部側電極の近傍に設けられ、前記取付面から突出する突出部と、を備え、
前記挿入部側電極が、前記突出部の先端よりも前記取付面側に位置していることを特徴とする内視鏡装置。
【請求項８】
前記突出部が、前記突出する方向に延びる中空部を備え、この中空部に、前記挿入部側電極が設けられていることを特徴とする請求項７に記載の内視鏡装置。
【請求項９】
前記中空部に、少なくとも二つの前記挿入部側電極が設けられていることを特徴とする請求項８に記載の内視鏡装置。
【請求項１０】
前記突出部の側壁部の一部を切り欠いた突出部用切り欠き部を備えることを特徴とする請求項８または請求項９に記載の内視鏡装置。
【請求項１１】
前記中空部内の前記挿入部側電極の近傍に、突出部用テーパー部が設けられていることを特徴とする請求項８から請求項１０のいずれか一項に記載の内視鏡装置。
【請求項１２】
前記中空部内の前記挿入部側電極の近傍に、突出部用溝が設けられていることを特徴とする請求項８から請求項１１のいずれか一項に記載の内視鏡装置。
【請求項１３】
前記内視鏡挿入部が連結されて、前記内視鏡挿入部の操作を行う内視鏡本体部を備えることを特徴とする請求項１から請求項１２のいずれか一項に記載の内視鏡装置。
【発明の詳細な説明】
【技術分野】
【０００１】
本発明は、被検体を観察するための内視鏡装置に関するものである。
【背景技術】
【０００２】
近年、医療分野や工業分野などの様々な分野において、被検体に挿入される長尺状の内視鏡挿入部と、この内視鏡挿入部が連結されて各種操作を行う内視鏡本体部とを備える内視鏡装置が利用されている。このような内視鏡装置の中には、内視鏡挿入部の先端に、照明部などを備えるアダプタが着脱可能に取り付けられているものが周知になっている（例えば、特許文献１参照。）。この内視鏡装置の内視鏡挿入部の先端には、アダプタを取り付けるための取付面が設けられており、この取付面の表面には、電源部に接続された円筒状の電極が設けられている。さらに、アダプタにも照明部などに接続された電極が設けられている。そして、内視鏡挿入部の先端にアダプタを取り付けると、アダプタ側に設けられた電極と、挿入部側に設けられた電極とが電気的に接続されて、照明部に電力が供給されるようになっている。
【特許文献１】特開２００４−３４１５４６号公報
【発明の開示】
【発明が解決しようとする課題】
【０００３】
しかしながら、上記のような内視鏡装置では、内視鏡挿入部からアダプタを取り外すと、挿入部側の電極が露出してしまうという問題がある。そのため、露出した電極がショートしてしまったり、また電極の筒孔の中に塵埃が侵入し易くなったりしてしまう。
【０００４】
本発明は、このような事情に鑑みてなされたものであって、内視鏡挿入部からアダプタを取り外しても、挿入部側電極の健全性を維持することができる内視鏡装置を提供することを目的とする。
【課題を解決するための手段】
【０００５】
上記課題を解決するために、本発明は以下の手段を提供する。
請求項１に係る発明は、被検体に挿入される内視鏡挿入部と、この内視鏡挿入部に設けられ、アダプタ側電極を有するアダプタが着脱可能に取り付けられる取付面と、前記内視鏡挿入部に設けられ、前記アダプタが前記取付面に取り付けられたときに前記アダプタ側電極と電気的に接続される挿入部側電極と、を備え、前記挿入部側電極が、前記取付面に対して、前記内視鏡挿入部の内方に位置していることを特徴とする。
【０００６】
この発明に係る内視鏡装置においては、内視鏡挿入部の取付面にアダプタを取り付けると、挿入部側電極とアダプタ側電極とが電気的に接続される。一方、アダプタを取り外しても、挿入部側電極が取付面に対して内方に位置していることから、挿入部側電極が、取付面の表面から隠される。
これにより、内視鏡挿入部からアダプタを取り外しても、挿入部側電極が取付面から露出することを防止することができる。
【０００７】
請求項２に係る発明は、請求項１に記載の内視鏡装置において、前記取付面に凹部が形成され、この凹部に前記挿入部側電極が設けられていることを特徴とする。
【０００８】
この発明に係る内視鏡装置においては、凹部に挿入部側電極が設けられていることから、取付面の表面から挿入部側電極が露出することを確実に防止することができる。
【０００９】
請求項３に係る発明は、請求項２に記載の内視鏡装置において、前記凹部に、少なくとも二つの前記挿入部側電極が設けられていることを特徴とする。
【００１０】
この発明に係る内視鏡装置においては、凹部に少なくとも二つの挿入部側電極が設けられていることから、構成を簡易にすることができ、迅速かつ低コストで製造することができる。また、凹部内の掃除を容易に行うことができる。
【００１１】
請求項４に係る発明は、請求項２または請求項３に記載の内視鏡装置において、前記凹部の側壁部の一部を切り欠いた凹部用切り欠き部を備えることを特徴とする。
【００１２】
この発明に係る内視鏡装置においては、凹部内に侵入した塵埃が凹部用切り欠き部から排出される。
これにより、凹部内に塵埃が溜まることを防止することができ、さらに凹部内のクリーニング作業性を向上させることができる。
【００１３】
請求項５に係る発明は、請求項２から請求項４のいずれか一項に記載の内視鏡装置において、前記凹部内の前記挿入部側電極の近傍に、凹部用テーパー部が設けられていることを特徴とする。
【００１４】
この発明に係る内視鏡装置においては、凹部内に侵入した塵埃が凹部用テーパー部に到達するが、テーパーがあることから、その塵埃が凹部用テーパー部に付着しにくくなる。
これにより、挿入部側電極の近傍において、塵埃が溜まることを防止することができ、さらに凹部内のクリーニング作業性を向上させることができる。
【００１５】
請求項６に係る発明は、請求項２から請求項５のいずれか一項に記載の内視鏡装置において、前記凹部内の前記挿入部側電極の近傍に、凹部用溝が設けられていることを特徴とする。
【００１６】
この発明に係る内視鏡装置においては、凹部内に侵入した塵埃が、凹部用溝に入り込む。そのため、挿入部側電極に塵埃が付着することなく、凹部用溝に塵埃が溜まっていく。
これにより、挿入部側電極に塵埃が溜まることによる接触不良などを防止することができる。
【００１７】
請求項７に係る発明は、被検体に挿入される内視鏡挿入部と、この内視鏡挿入部に設けられ、アダプタ側電極を有するアダプタが着脱可能に取り付けられる取付面と、前記内視鏡挿入部に設けられ、前記アダプタが前記取付面に取り付けられたときに前記アダプタ側電極と電気的に接続される挿入部側電極と、前記取付面のうち前記挿入部側電極の近傍に設けられ、前記取付面から突出する突出部と、を備え、前記挿入部側電極が、前記突出部の先端よりも前記取付面側に位置していることを特徴とする。
【００１８】
この発明に係る内視鏡装置においては、内視鏡挿入部の取付面にアダプタを取り付けると、挿入部側電極とアダプタ側電極とが電気的に接続される。一方、アダプタを取り外しても、挿入部側電極が、突出部の先端よりも取付面側に位置していることから、挿入部側電極の少なくとも一部が、突出部によって隠される。
これにより、内視鏡挿入部からアダプタを取り外しても、挿入部側電極が露出することを防止することができる。
【００１９】
請求項８に係る発明は、請求項７に記載の内視鏡装置において、前記突出部が、前記突出する方向に延びる中空部を備え、この中空部に、前記挿入部側電極が設けられていることを特徴とする。
【００２０】
この発明に係る内視鏡装置においては、中空部に挿入部側電極が設けられていることから、取付面の表面から挿入部側電極が露出することを確実に防止することができる。
【００２１】
請求項９に係る発明は、請求項８に記載の内視鏡装置において、前記中空部に、少なくとも二つの前記挿入部側電極が設けられていることを特徴とする。
【００２２】
この発明に係る内視鏡装置においては、中空部に少なくとも二つの挿入部側電極が設けられていることから、構成を簡易にすることができ、迅速かつ低コストで製造することができる。また、中空部内の掃除を容易に行うことができる。
【００２３】
請求項１０に係る発明は、請求項８または請求項９に記載の内視鏡装置において、前記突出部の側壁部の一部を切り欠いた突出部用切り欠き部を備えることを特徴とする。
【００２４】
この発明に係る内視鏡装置においては、凹部内に侵入した塵埃が突出部用切り欠き部から排出される。
これにより、中空部内に塵埃が溜まることを防止することができ、さらに中空部内のクリーニング作業性を向上させることができる。
【００２５】
請求項１１に係る発明は、請求項８から請求項１０のいずれか一項に記載の内視鏡装置において、前記中空部内の前記挿入部側電極の近傍に、突出部用テーパー部が設けられていることを特徴とする。
【００２６】
この発明に係る内視鏡装置においては、中空部内に侵入した塵埃が突出部用テーパー部に到達するが、テーパーがあることから、その塵埃が突出部用テーパー部に付着しにくくなる。
これにより、挿入部側電極の近傍において、塵埃が溜まることを防止することができ、さらに中空部内のクリーニング作業性を向上させることができる。
【００２７】
請求項１２に係る発明は、請求項８から請求項１１のいずれか一項に記載の内視鏡装置において、前記中空部内の前記挿入部側電極の近傍に、突出部用溝が設けられていることを特徴とする。
【００２８】
この発明に係る内視鏡装置においては、中空部内に侵入した塵埃が、突出部用溝に入り込む。そのため、挿入部側電極に塵埃が付着することなく、突出部用溝に塵埃が溜まっていく。
これにより、挿入部側電極に塵埃が溜まることによる接触不良などを防止することができる。
【００２９】
請求項１３に係る発明は、請求項１から請求項１２のいずれか一項に記載の内視鏡装置において、前記内視鏡挿入部が連結されて、前記内視鏡挿入部の操作を行う内視鏡本体部を備えることを特徴とする。
【００３０】
この発明に係る内視鏡装置においては、上記請求項１から請求項１２のいずれか一項に係る発明と同様の効果を奏することができる。
【発明の効果】
【００３１】
本発明によれば、挿入部側電極が取付面から露出することを防止することができることから、挿入部側電極のショート、損傷および塵埃の侵入などを防止することができ、内視鏡挿入部からアダプタを取り外しても、挿入部側電極の健全性を維持することができる。
【発明を実施するための最良の形態】
【００３２】
（実施形態１）
以下、本発明の第１の実施形態における内視鏡装置について、図面を参照して説明する。
図１は、本発明の第１の実施形態としての内視鏡装置１を示したものである。
この内視鏡装置１は、湾曲可能な湾曲部７を有する長尺状の挿入部（内視鏡挿入部）２と、この挿入部２が連結されて各種操作を行う本体部（内視鏡本体部）３とを備えている。
【００３３】
本体部３は略箱型に形成されており、その側壁部に、挿入部２の湾曲操作を行うための操作パネル６が設けられている。また、本体部３の天面には、観察画像を映し出すためのモニタ８が設けられている。さらに、本体部３には、電源を供給するための電源部９が設けられている。
また、挿入部２は、その基端部が不図示の連結部を介して本体部３に着脱可能に連結されて構成されている。一方、その先端部には、図２に示すように、観察手段としてのＣＣＤ１６が設けられている。また、挿入部２の先端部の外周面には、その全周にわたって延びる雄ネジ部１７が形成されている。挿入部２の先端面には、不図示の対物レンズを有する光学アダプタ（アダプタ）１２を着脱可能に取り付けるための取付面１３が設けられている。
【００３４】
光学アダプタ１２は、図３に示すように、略円柱状に形成されたアダプタ本体部２７と、略円筒状に形成された取付フード部２３とを備えている。これらアダプタ本体部２７と取付フード部２３とは、同心上に、かつ互いに回転可能に連結されている。
アダプタ本体部２７の側壁部には、例えばＬＥＤなどからなる照明部１１が設けられている。また、アダプタ本体部２７の底面部２７ａには、図４に示すケーブル２１を介して照明部１１に接続されたアダプタ側電極１８が設けられている。このアダプタ側電極１８は、アルミや真鍮などの非鉄、または鉄などによりなっており、その表面に導電性の高いメッキまたは塗装が施されている。また、アダプタ側電極１８は、底面部２７ａから光学アダプタ１２の長さ方向の外方に突出する突出電極部２８を備えている。また、アダプタ側電極１８には、その周囲を取り囲むようにして、絶縁部材２２が設けられている。
【００３５】
また、取付フード部２３の内周面の後端部には、全周にわたって延びる第１雌ネジ部２５が形成されており、この第１雌ネジ部２５から先端側に所定の間隔を空けて第２雌ネジ部２６が形成されている。
このような構成のもと、挿入部２の先端を光学アダプタ１２の後端に挿入し、取付フード部２３を回転させると、まず雄ネジ部１７と第１雌ネジ部２５とが螺合するようになっている。さらに取付フード部２３を回転させると、雄ネジ部１７は、第１雌ネジ部２５を乗り越えて、第２雌ネジ部２６に螺合し、これにより、光学アダプタ１２が取付面１３に着脱可能に取り付けられるようになっている。すなわち、第１雌ネジ部２５は、光学アダプタ１２が挿入部２から脱落するのを防止するための抜け止めとして機能するものである。
【００３６】
さらに、本実施形態における挿入部２の取付面１３には、図５に示すように、凹部３１が二つ形成されており、それぞれの凹部３１内に、有底円筒状の挿入部側電極３２が一つづつ設けられている。すなわち、図６に示すように、凹部３１を形成する側壁部３１ａと底面部３１ｂのうち、底面部３１ｂと面一になるようにして挿入部側電極３２の端面部３２ａが配されており、そのため、挿入部側電極３２は、取付面１３に対して、挿入部２の内方に位置している。
【００３７】
また、挿入部側電極３２は、アルミや真鍮などの非鉄、または鉄などによりなっており、その表面に導電性の高いメッキまたは塗装が施されている。さらに、挿入部側電極３２は、ケーブル２１を介して、図１に示す電源部９に電気的に接続されている。そして、光学アダプタ１２を取付面１３に取り付けると、突出電極部２８が挿入部側電極３２の端面部３２ａに当接され、これによりアダプタ側電極１８と挿入部側電極３２が電気的に接続されて、照明部１１に電源部９からの電力が供給されるようになっている。また、挿入部側電極３２には、その周囲を取り囲むようにして、絶縁部材３３が設けられている。
【００３８】
次に、このように構成された本実施形態における内視鏡装置１の作用について説明する。
まず、所望の光学アダプタ１２を選択して、上述のように挿入部２の取付面１３にその光学アダプタ１２を取り付ける。これによって、アダプタ側電極１８と挿入部側電極３２が電気的に接続されて、電源部９から照明部１１に電力が供給される。そして、挿入部２を被検体内に挿入して、照明部１１から照明光を照射させる。このとき、被検対象からの反射光が、光学アダプタ１２の対物レンズを介して取り込まれ、ＣＣＤ１６に結像する。そして、ＣＣＤ１６からの出力信号が、所定の回路を経て、モニタ８に供給される。これにより、モニタ８に観察画像が映し出され、この観察画像を見ながら、被検体の所定の検査が行われる。また、別の被検体を検査する場合であって、他の光学アダプタ１２が必要な場合には、取付面１３に取り付けられた光学アダプタ１２を取り外す。そして、所望の光学アダプタ１２を取付面１３に取り付ける。これにより光学アダプタ１２が交換される。
【００３９】
本実施形態においては、光学アダプタ１２を取り外すと、挿入部側電極３２が凹部３１内に設けられていることから、挿入部側電極３２の周囲が、凹部３１を形成する側壁部３１ａに覆われて、これにより挿入部側電極３２が取付面１３の表面から隠される。
【００４０】
以上より、本実施形態における内視鏡装置１によれば、光学アダプタ１２を取り外しても、挿入部側電極３２が取付面１３から露出することを防止することができる。そのため、挿入部側電極３２のショート、損傷および塵埃の侵入などを防止することができ、挿入部２から光学アダプタ１２を取り外しても、挿入部側電極３２の健全性を維持することができる。
また、挿入部側電極３２は、有底円筒状をなしており、その端面部３２ａが外方に向くように設置されているため、塵埃の侵入を効果的に防止することができる。
【００４１】
また、光学アダプタ１２を取付面１３に取り付けると、挿入部側電極３２の端面部３２ａと、突出電極部２８の先端面とが接触することから、挿入部側電極３２とアダプタ側電極１８とを面接触させることができ、部品精度や組み立て精度が低下しても、挿入部側電極３２とアダプタ側電極１８とを容易に導通させることができる。
さらに、挿入部側電極３２およびアダプタ側電極１８に、導電性の高いメッキまたは塗装を施していることから、挿入部側電極３２とアダプタ側電極１８との間の電気損失を減少させることができる。
【００４２】
なお、本実施形態においては、アダプタ側電極１８の突出電極部２８および挿入部側電極３２の端面部３２ａを固定しているが、これらの少なくともいずれか一方を可動部材として構成してもよい。
例えば、図７に示すように、挿入部側電極３２が、有底円筒状の本体筒部３７と、この本体筒部３７に設けられたバネ３８と、このバネ３８の先端に設けられた円柱状の電極端子部３９とを備えており、電極端子部３９を、本体筒部３７の長さ方向に移動可能に構成してもよい。そして、本体筒部３７の先端を、凹部３１を形成する底面部３１ｂに設ける。
【００４３】
このような構成のもと、光学アダプタ１２を取付面１３に取り付けると、突出電極部２８が、本体筒部３７の先端の開口部４１から本体筒部３７に挿入される。すると、電極端子部３９が押圧され、バネ３８の付勢力に抗して電極端子部３９が移動する。これにより、突出電極部２８と端面部３２ａとを容易に接続することができるだけでなく、バネ３８が伸縮することにより、アダプタ側電極１８や挿入部側電極３２などの製造誤差を吸収することができる。なお、突出電極部２８の外径を、開口部４１の内径と同一に設定することにより、突出電極部２８が挿入部側電極３２に挿入されたとき、その挿入位置にかかわらず、開口部４１の隙間を常に塞ぐことができ、塵埃の侵入を一層防止することができる。
【００４４】
また、図８に示すように、本体筒部３７内に電極端子部３９を設けずにバネ３８のみを設けるようにしてもよい。このような構成のもと、光学アダプタ１２を取付面１３に取り付けると、突出電極部２８が、本体筒部３７の先端の開口部４１から本体筒部３７に挿入される。すると、突出電極部２８の先端部がバネ３８に当接され、バネ３８が押圧される。これにより、簡易な構成によって、突出電極部２８とバネ３８とを容易に電気的に接続することができる。
【００４５】
また、本実施形態において、二つの凹部３１と、それぞれに一つづつの計２つの挿入部側電極３２を設けるとしたが、これらの設置数は適宜変更可能である。
例えば、挿入部側電極３２を３つ以上設けるようにしてもよい。
また、例えば、図９に示すように、取付面１３に凹部３１を一つ設けるとともに、その凹部３１内に一つの挿入部側電極３２を設け、凹部３１外の取付面１３に一つの挿入部側電極３２´を設けるようにしてもよい。
さらに、図１０に示すように、凹部３１を一つ設け、その凹部３１を形成する側壁部３１ａの一部を切り欠いた切り欠き部（凹部用切り欠き部）４２を形成するようにしてもよい。このような切り欠き部４２を設けると、凹部３１内に侵入した塵埃が切り欠き部４２から排出される。そのため、凹部３１内に塵埃が溜まることを防止することができ、さらに凹部３１内のクリーニング作業性を向上させることができる。
【００４６】
また、図１１に示すように、凹部３１を二つ設け、それら凹部３１のそれぞれに切り欠き部４２を形成するようにしてもよい。
さらに、図１２に示すように、凹部３１を一つ設け、この凹部３１内に二つの挿入部側電極３２を設けるようにしてもよい。これにより、構成を簡易にすることができ、迅速かつ低コストで製造することができるだけでなく、凹部３１内の掃除を容易に行うことができる。この場合も、凹部３１内に設ける挿入部側電極３２の数は二つに限ることはなく、適宜変更可能である。すなわち、取付面１３に設けられる複数の挿入部側電極３２の全てを、同じ凹部３１内に設けてもよいし、複数の凹部３１内に分けて設置するようにしてもよい。また、それら複数の挿入部側電極３２の一部のみを凹部３１内に設けるようにしてもよい。
また、図１３に示すように、凹部３１に複数の挿入部側電極３２を設けるとともに、その凹部３１に切り欠き部４２を設けるようにしてもよい。
【００４７】
（実施形態２）
次に、本発明の第２の実施形態について説明する。
図１４および図１５は、本発明の第２の実施形態を示したものである。
図１４および図１５において、図１から図１３に記載の構成要素と同一部分については同一符号を付し、その説明を省略する。
この実施形態と上記第１の実施形態とは基本的構成は同一であり、ここでは異なる点についてのみ説明する。
【００４８】
本実施形態においては、凹部３１内の側壁部３１ａが凹部３１の径方向外方に向けて漸次広がるように傾斜して構成されている。すなわち、側壁部３１ａがテーパー部（凹部用テーパー部）４３となる。そのため、凹部３１内に塵埃が侵入しても、傾斜によって、その塵埃がテーパー部４３に付着しにくくなる。
以上より、挿入部側電極３２の近傍において、塵埃が溜まることを防止することができ、さらに凹部３１内のクリーニング作業性を向上させることができる。
【００４９】
（実施形態３）
次に、本発明の第３の実施形態について説明する。
図１６および図１７は、本発明の第３の実施形態を示したものである。
本実施形態においては、挿入部側電極３２の端面部３２ａが、凹部３１内の底面部３１ｂよりも、前方に突出している。すなわち、挿入部側電極３２の近傍に、その全周にわたって延びる溝（凹部用溝）４６が形成されている。
このような構成のもと、凹部３１内に侵入した塵埃は、溝４６に入り込む。そのため、挿入部側電極３２に塵埃が付着することなく、溝４６に塵埃が溜まっていく。
以上より、挿入部側電極３２に塵埃が溜まることによる接触不良などを防止することができる。
【００５０】
なお、本実施形態においては、挿入部側電極３２の全周にわたって延びる溝４６を設けるとしたが、これに限ることはなく、溝４６のサイズや位置などは適宜変更可能である。
例えば、図１８および図１９に示すように、切り欠き部４２を設けるとともに、切り欠き部４２が形成される側であって、その切り欠き部４２の全長にわたって溝４６を設けるようにしてもよい。
【００５１】
（実施形態４）
次に、本発明の第４の実施形態について説明する。
図２０および図２１は、本発明の第４の実施形態を示したものである。
この実施形態においては、図２０に示すように、取付面１３に、挿入部２の軸線に沿って取付面１３から突出する突出部４７が設けられている。突出部４７は円筒状に形成されている。すなわち、突出部４７の中央には、この突出部４７の突出する方向に延びる中空部４８が設けられている。そして、この中空部４８内に、挿入部側電極３２が設けられている。挿入部側電極３２は、その端面部３２ａが取付面１３に面一になるように配置されており、そのため、挿入部側電極３２は、突出部４７の先端よりも取付面１３側に位置している。
また、図２１に示すように、光学アダプタ１２の底面部２７ａには、アダプタ側凹部５１が形成されており、そのアダプタ側凹部５１内に、突出電極部２８が配されている。
【００５２】
このような構成のもと、光学アダプタ１２を取付面１３に取り付けると、突出部４７がアダプタ側凹部５１に入り込み、突出電極部２８が中空部４８を通って挿入部側電極３２の端面部３２ａに当接する。これにより、アダプタ側電極１８と挿入部側電極３２とが電気的に接続される。一方、光学アダプタ１２を取り外すと、挿入部側電極３２が中空部４８内に設けられ突出部４７の先端よりも取付面１３側に位置していることから、挿入部側電極３２の周囲が、突出部４７に覆われて、これにより挿入部側電極３２が取付面１３の表面から隠される。
【００５３】
以上より、本実施形態における内視鏡装置１によれば、光学アダプタ１２を取り外しても、挿入部側電極３２が取付面１３から露出することを防止することができる。そのため、上記第１の実施形態における内視鏡装置１と同様の効果を奏することができる。
【００５４】
なお、本実施形態においては、アダプタ側凹部５１を一つ設けているが、その設置数は適宜変更可能である
また、本実施形態において、二つの突出部４７と、それぞれに一つづつの計２つの挿入部側電極３２を設けるとしたが、これらの設置数は適宜変更可能である。
例えば、挿入部側電極３２を３つ以上設けるようにしてもよい。
また、例えば、図２２に示すように、取付面１３に突出部４７を一つ設けるとともに、その中空部４８内に一つの挿入部側電極３２を設け、中空部４８外の取付面１３に一つの挿入部側電極３２´を設けるようにしてもよい。
さらに、図２３に示すように、突出部４７を一つ設け、その側壁部の一部を切り欠いた切り欠き部（突出部用切り欠き部）５２を形成するようにしてもよい。このような切り欠き部５２を設けると、中空部４８内に侵入した塵埃が切り欠き部５２から排出される。そのため、中空部４８内に塵埃が溜まることを防止することができ、さらに中空部４８内のクリーニング作業性を向上させることができる。
【００５５】
また、図２４に示すように、突出部４７を二つ設け、それら突出部４７のそれぞれに切り欠き部５２を形成するようにしてもよい。
さらに、図２５に示すように、突出部４７を一つ設け、この中空部４８内に二つの挿入部側電極３２を設けるようにしてもよい。これにより、構成を簡易にすることができ、迅速かつ低コストで製造することができるだけでなく、中空部４８内の掃除を容易に行うことができる。この場合も、中空部４８内に設ける挿入部側電極３２の数は二つに限ることはなく、適宜変更可能である。すなわち、取付面１３に設けられる複数の挿入部側電極３２の全てを、同じ中空部４８内に設けてもよいし、複数の中空部４８内に分けて設置するようにしてもよい。また、それら複数の挿入部側電極３２の一部のみを中空部４８内に設けるようにしてもよい。
【００５６】
また、図２６に示すように、中空部４８に複数の挿入部側電極３２を設けるとともに、突出部４７に切り欠き部５２を設けるようにしてもよい。
さらに、中空部４８を設けなくてもよい。すなわち、図２７に示すように、挿入部側電極３２の間（近傍）に、柱状に延びる柱状突出部（突出部）５３を設けるようにしてもよい。このような構成のもと、光学アダプタ１２を取り外すと、挿入部側電極３２の近傍に柱状突出部５３が設けられていることから、挿入部側電極３２の一部が取付面１３の表面から隠される。これにより、簡易な構成により、上記第１の実施形態における内視鏡装置１と同様の効果を奏することができる。
【００５７】
なお、本実施形態においては、取付面１３に挿入部側電極３２を設けるとしたが、挿入部側電極３２の近傍に、上記と同様なテーパー部（突出部用テーパー部）や溝（突出部用溝）などを設けてもよい。
また、上記第１から第４の実施形態においては、アダプタ側電極１８が照明部１１と接続されているとしたが、これに限ることはなく、アダプタ識別センサや温度・湿度センサなどのセンサ類または他の電子部品などと接続されていてもよい。
さらに、光学アダプタ１２の側壁部に照明部１１を設け、光学アダプタ１２を側視用のアダプタとしたが、これに限ることはなく、光学アダプタ１２の先端に照明部１１を設け、光学アダプタ１２を直視用のアダプタとしてもよい。
【００５８】
また、絶縁部材３３を設けるとしたが、これに代えて、アダプタ側電極１８や挿入部側電極３２の表面に、例えばアルマイト処理などの絶縁処理を施してもよい。または、挿入部２の部品自体を絶縁材料にしたり、絶縁処理を施したりしてもよい。これにより、アダプタ側電極１８や挿入部側電極３２を覆う絶縁部材３３を不要にすることができる。
なお、本発明の技術範囲は上記第１から第４の実施形態に限定されるものではなく、本発明の趣旨を逸脱しない範囲において、種々の変更を加えることが可能である。
【図面の簡単な説明】
【００５９】
【図１】本発明に係る内視鏡装置の第１の実施形態を示す全体構成図である。
【図２】図１の内視鏡装置の挿入部の先端を示す図であって、取付面に光学アダプタが着脱可能に取り付けられる様子を示す説明図である。
【図３】図１の光学アダプタを基端側から見た様子を拡大して示す図であって、取付フード部の略半周を破断して示す斜視図である。
【図４】図３のアダプタ側電極の周辺の様子を示す要部断面図である。
【図５】図１の挿入部を先端面側から見た様子を拡大して示す図であって、挿入部の先端部分の略半周を破断して示す斜視図である。
【図６】図５の挿入部側電極の周辺の様子を示す要部断面図である。
【図７】図５の挿入部側電極の変形例を示す図であって、本体筒部の半周を破断して示す斜視図である。
【図８】図５の挿入部側電極の他の変形例を示す図であって、本体筒部の半周を破断して示す斜視図である。
【図９】図２の凹部および挿入部側電極の変形例を示す図であって、凹部が一つ設けられた様子を示す斜視図である。
【図１０】図２の凹部および挿入部側電極の変形例を示す図であって、図９の凹部に切り欠き部が設けられた様子を示す斜視図である。
【図１１】図２の凹部および挿入部側電極の変形例を示す図であって、二つの凹部のそれぞれに切り欠き部が形成された様子を示す斜視図である。
【図１２】図２の凹部および挿入部側電極の変形例を示す図であって、一つの凹部に複数の挿入部側電極が設けられた様子を示す斜視図である。
【図１３】図２の凹部および挿入部側電極の変形例を示す図であって、図１２の凹部に切り欠き部が設けられた様子を示す斜視図である。
【図１４】本発明に係る内視鏡装置の第２の実施形態の要部を示す図であって、挿入部の先端部分の略半周を破断して示す斜視図である。
【図１５】図１４の挿入部側電極の周辺の様子を示す要部断面図である。
【図１６】本発明に係る内視鏡装置の第３の実施形態の要部を示す図であって、挿入部の先端部分の略半周を破断して示す斜視図である。
【図１７】図１６の挿入部側電極の周辺の様子を示す要部断面図である。
【図１８】図１６の溝の変形例を示す図であって、挿入部の先端部分の略半周を破断して示す斜視図である。
【図１９】図１８の挿入部側電極の周辺の様子を示す要部断面図である。
【図２０】本発明に係る内視鏡装置の第４の実施形態の要部を示す斜視図である。
【図２１】本実施形態における光学アダプタを基端側から見た様子を示す図であって、基端部の略半周を破断して示す斜視図である。
【図２２】図２０の突出部および挿入部側電極の変形例を示す図であって、突出部が一つ設けられた様子を示す斜視図である。
【図２３】図２０の突出部および挿入部側電極の変形例を示す図であって、図２２の突出部に切り欠き部が設けられた様子を示す斜視図である。
【図２４】図２０の突出部および挿入部側電極の変形例を示す図であって、二つの突出部のそれぞれに切り欠き部が形成された様子を示す斜視図である。
【図２５】図２０の突出部および挿入部側電極の変形例を示す図であって、一つの中空部内に複数の挿入部側電極が設けられた様子を示す斜視図である。
【図２６】図２０の突出部および挿入部側電極の変形例を示す図であって、図２５の突出部に切り欠き部が設けられた様子を示す斜視図である。
【図２７】図２０の突出部および挿入部側電極の変形例を示す図であって、柱状突出部が設けられた様子を示す斜視図である。
【符号の説明】
【００６０】
１    内視鏡装置
２    挿入部（内視鏡挿入部）
３    本体部（内視鏡本体部）
１２  光学アダプタ（アダプタ）
１３  取付面
１８  アダプタ側電極
３１  凹部
３２  挿入部側電極
４２  切り欠き部（凹部用切り欠き部）
４３  テーパー部（凹部用テーパー部）
４６  溝（凹部用溝）
４７  突出部
４８  中空部
５２  切り欠き部（突出部用切り欠き部）
５３  柱状突出部（突出部）
【図１】
2006326068.tif 000003
【図２】
2006326068.tif 000004
【図３】
2006326068.tif 000005
【図４】
2006326068.tif 000006
【図５】
2006326068.tif 000007
【図６】
2006326068.tif 000008
【図７】
2006326068.tif 000009
【図８】
2006326068.tif 000010
【図９】
2006326068.tif 000011
【図１０】
2006326068.tif 000012
【図１１】
2006326068.tif 000013
【図１２】
2006326068.tif 000014
【図１３】
2006326068.tif 000015
【図１４】
2006326068.tif 000016
【図１５】
2006326068.tif 000017
【図１６】
2006326068.tif 000018
【図１７】
2006326068.tif 000019
【図１８】
2006326068.tif 000020
【図１９】
2006326068.tif 000021
【図２０】
2006326068.tif 000022
【図２１】
2006326068.tif 000023
【図２２】
2006326068.tif 000024
【図２３】
2006326068.tif 000025
【図２４】
2006326068.tif 000026
【図２５】
2006326068.tif 000027
【図２６】
2006326068.tif 000028
【図２７】
2006326068.tif 000029